(57)【要約】【課題】下肢部の経穴を刺激して血行を促進し得る磁気健康靴下を提供する。【解決手段】伸縮自在な弾力性を有する靴下本体１の側部に、裏面に磁石２，２を配置した伸縮自在な弾力性を有するシート３を着脱可能にして付着させてなり、前記靴下本体１は足の略半分の足先部と踵部が露出するようにカットされ、前記シート３は裏面に磁石を収納する袋部６，６が形成されて磁石２，２を着脱可能に収納配置し、磁石２，２は凸球面を有する円盤状に形成されてなる磁気健康靴下である。【選択図】図１
0003109533.tif 000002
【実用新案登録請求の範囲】
【請求項１】
伸縮自在な弾力性を有する靴下本体の側部に、裏面に磁石を配置した伸縮自在な弾力性を有するシートを着脱可能にして付着させてなることを特徴とする磁気健康靴下。
【請求項２】
前記靴下本体は、足の略半分の足先部と踵部が露出するようにカットされて形成されてなることを特徴とする請求項１記載の磁気健康靴下。
【請求項３】
前記シートは、裏面に磁石を収納する袋部が形成され、該袋部にスリットを入れて磁石が着脱可能に収納配置されてなることを特徴とする請求項１又は請求項２記載の磁気健康靴下。
【考案の詳細な説明】
【技術分野】
【０００１】
本考案は、人体下肢部の血行を促進させるようにした磁気健康靴下に関するものである。
【背景技術】
【０００２】
人体の下肢部は血行が悪くなりやすく、運動機能が低下したり、或いは乗り物等の狭い室内で下肢部を動かさないで椅子に着座している場合などに起こるエコノミークラス症候群の発症の原因になったり、冬場になると冷え性の人は寝つきが悪くなったりするなどの原因となっている。
【０００３】
快適な安眠が得られるようにするため、特許文献１には、靴下のつま先を袋状に閉じないで５本の指を出せるようにして、足首は締めないようにニットの特性を利用し、ゴムは入れないようにした安眠健康靴下が開示されている。
【０００４】
又、特許文献２には、突起による指圧効果とセラミックスによる遠赤外線保温効果を得るため、ソックスを足先から膝までを覆うように長尺に形成し、セラミックス粉末と金属銅粉末を混合して形成した合成樹脂製突起を足裏と膝の両方に接するように配置し、該突起を配置した生地部分をパイル状に織成してなる健康ロングソックスが開示されている。
【特許文献１】実用新案登録第３０９２５２５号公報
【特許文献２】実開平７−２１７０６号公報
【考案の開示】
【考案が解決しようとする課題】
【０００５】
しかしながら、上記特許文献１は、靴下のつま先を袋状に閉じないで５本の指を出せるようにして、足首を締めないようにニットの特性を利用し、ゴムを入れないようにした安眠健康靴下であり、下肢部の経穴（ツボ）を刺激して強制的に血行が促進されるものではないので、その効果は差程期待できなく、又特許文献２は、セラミックス粉末と金属銅粉末を混合して形成した合成樹脂製突起による指圧やセラミックスによる遠赤外線位置が、ソックスを着用する人の足の大きさ等によりずれたりして効果的な経穴の位置に合わせ難い問題点（課題）を有している。漢方医学では経穴（ツボ）は、気血が人体をめぐり流れる経絡の要所に当たる点で、病気の診断と治療の対象点とされている。
【課題を解決するための手段】
【０００６】
本考案は、血行の促進や疲労回復、肩こり、神経痛などの緩和に効果があると言われている磁石を下肢部の経穴（ツボ）の位置に合致すべく靴下本体の側部に配置できるようにして、磁石の発する磁力線により下肢部の経穴を刺激して血行を促進させるようにした磁気健康靴下を提供しようとするものであり、その解決するための手段は、
（１）伸縮自在な弾力性を有する靴下本体の側部に、裏面に磁石を配置した伸縮自在な弾力性を有するシートを着脱可能にして付着させてなることを特徴とする磁気健康靴下である。前記靴下本体の側部に、シートを着脱自在に付着させるには、靴下本体の側部とシートの裏面にそれぞれテープ状のファスナーを貼着して、靴下本体に貼着したテープ状のファスナーに、シートの裏面に貼着したテープ状のファスナーを当接させることにより行うがこれに限定するものではない。
【０００７】
（２）前記靴下本体は、足の略半分の足先部と踵部が露出するようにカットされて形成されてなることを特徴とする。足の略半分の足先部と踵部が露出するようにカットされることにより、足先から踵までの足の大きさに左右されにくく、且つ足先の指と指の間の蒸れ、及び就寝用として着用した場合の、のぼせの防止になる。
【０００８】
（３）前記シートは、裏面に磁石を収納する袋部が形成され、該袋部にスリットを入れて磁石が着脱可能に収納配置されてなることを特徴とする。そして、裏面に磁石を収納する袋部を形成し、該袋部にスリットを入れることにより、スリットを入れた袋口より磁石が容易に取り出せると共に、シートを靴下本体に付着させた状態で袋口が閉ざされて磁石が袋内から容易に脱落しない。
【考案の効果】
【０００９】
本考案は、上記手段にて記載するように、伸縮自在な弾力性を有する靴下本体の側部に、裏面に磁石を配置した伸縮自在な弾力性を有するシートを着脱可能にして付着させたものであり、磁石により下肢部の経穴を刺激することにより血行が促進されて運動機能が高められると共に、エコノミークラス症候群の発症の防止や冷え性の人の安眠を促進させるのに効果を奏する。
【００１０】
又、磁石を配置したシートを、靴下本体の側部に着脱可能にして付着させた構成であるから、下肢部の経穴（ツボ）の位置に、配置した磁石を正確に合わせることが可能となり、下肢部の経穴と磁石の位置ずれが防止できて、正確に位置合わせした状態で有効に磁力線による刺激が受けられる。
【００１１】
更に、洗濯する時は、磁石を配置したシートを靴下本体から取り外したり、配置した磁石をシートより取り外して行える利点がある。
【考案を実施するための最良の形態】
【００１２】
本考案を実施するための最良の形態は、伸縮自在な弾力性を有する靴下本体の側部に、裏面に磁石を配置した伸縮自在な弾力性を有するシートを着脱可能にして付着させてなり、前記靴下本体は足先部と踵部が露出するようにカットされて形成され、前記シートは裏面に磁石を収納する袋部が形成されて、該袋部にスリットを入れて磁石が着脱可能に収納配置されるようにしたものであり、配置される磁石は、凸球面を有する円盤状に形成されたものである。以下、実施例にて図面に基づき説明する。
【実施例１】
【００１３】
図１は、本考案の実施例を示す図面で、（Ａ）は側面図、（Ｂ）は（Ａ）のＡ−Ａ断面図である。図示するように靴下本体１の側部に、裏面に磁石２，２を配置したシート３を付着させた構成となっており、靴下本体１の側面に貼着したテープ状のファスナー４，４に、シート３の裏面に貼着したテープ状のファスナー５，５を当接させることにより着脱可能に付着させるようにしてある。
なお、本考案は、靴下本体１に磁石２，２を配置したシート３を着脱可能に付着させるのにテープ状のファスナーを使用しているがこれに限定するものではない。
【００１４】
前記靴下本体１は、下肢部に密着すべく、例えばニットのように織成された伸縮自在で弾力性を有する布で形成され、図２に示す如く靴下本体１の側部にはテープ状のファスナー４，４が縦長に縫い付けられて貼着され、足の略半分の足先部と踵部は露出するようにカットされてカット面１ａ，１ｂが形成されている。足の略半分の足先部と踵部が露出するようにカットされることにより足先から踵までの足の大きさに左右されにくく、且つ足先の指と指の間の蒸れ、及び就寝用として着用する場合の、のぼせ防止になるが、これに限定されるものではない。
【００１５】
前記シート３は、靴下本体１と同様の伸縮自在で弾力性を有する布で形成され、図３に示す如く裏面に磁石２，２を収納すべく袋部６，６が形成され、袋部６，６の縁部６ａ，６ａがシート３に縫い付けられて袋面にスリットを入れることにより、袋口６ｂ，６ｂが形成されており、該袋口より磁石２，２が着脱可能に収納して配置されるようにしてあり、裏面の両端面には前記靴下本体１の側部に貼着したテープ状のファスナー４，４に合致するようにテープ状のファスナー５，５が縫い付けられて貼着されている。
なお、シート３を長くし、靴下本体１に巻き付けるようにして付着させても良く、配置する磁石２の数も限定するものではない。
【００１６】
前記テープ状のファスナー４，５は、着脱自在に付着可能なもので、市販されたものを短冊状に加工したものであるが、テープ状のファスナーの代わりにホックを使用することもできる。
【００１７】
又、前記シート３の裏面に配置される磁石２は、凸球面を有する円盤状に形成されたものであり、このような形状に磁石２が形成されることにより、肌への当りが良く、押し付けた時に痛くなく適度な指圧効果が得られ、且つ着用した時に出張りが目立たなが、これに限定されるものではない。
【００１８】
以上のようにしてなる本考案の人体の下肢部に着用した状態を図４，図５に示す。図４は、下肢部の膝下までの通常の長さの靴下本体１の場合であり、図５は、膝上までのロングタイプの靴下本体１の場合である。靴下本体１は足の略半分の足先部７ａと踵部７ｂが露出するようにカットされてカット面１ａ，１ｂから足の略半分の足先部７ａと踵部７ｂが露出している。
【００１９】
シート３に配置した磁石２，２は、図４では下肢部７の足首付近の経穴（ツボ）に位置するようにし、図５では下肢部７の膝付近の経穴に位置するようにして、シート３の裏面に貼着したテープ状のファスナー５，５を、靴下本体１の側部に貼着したテープ状のファスナー４，４に付着させてある。
【００２０】
本実施例図では、左下肢部に着用した状態で図示されているが、右下肢部の着用状態は本実施例図とは反対勝手となり、磁石２，２は左右下肢部の外側に当接するようにしてある。左下肢部と右下肢部着用のものを入れ替えて着用すれば、磁石２，２は左右下肢部の内側に当接する。或いは下肢部の内側、外側両方に磁石２，２が当接するように靴下本体１にシート３を付着させるようにしても良い。
【００２１】
又、図５に示すロングタイプの靴下本体１では、図４に示す足首付近の経穴を刺激する磁石２，２を配置したシート３を同様に付着させることもでき、下肢部７の足首付近と膝付近の経穴を同時に刺激して、下肢部の血行の促進を高めることができる。
【００２２】
本考案は以上のようにして着用されるが、着用した上から足先部の踵部が露出しない通常の靴下を重ねて着用しても良く、或いは靴下本体は足先部と踵部が露出しない通常の靴下に磁石を配置したシートを着脱可能にして付着させる手段を講じても良い。又、磁石を当てる必要がない場合は、磁石を配置したシートを取り外して使用すれば良い。
【産業上の利用可能性】
【００２３】
磁石を配置したシートを着脱可能にして付着させ、人体の腕や手に密着するようにして着用できるようにすれば、人体の下肢部のみならず、腕や手の経穴（ツボ）を刺激して血行を促進させることのできる磁気健康カバーや磁気健康手袋等としても利用の可能性がある。
【図面の簡単な説明】
【００２４】
【図１】本考案の実施例を示す図面で、（Ａ）は側面図、（Ｂ）は（Ａ）のＡ−Ａ断面図である。
【図２】靴下本体の斜視図である。
【図３】シートの斜視図である。
【図４】本考案を下肢部に着用した状態を示す側面図である。
【図５】ロングタイプにして下肢部に着用した状態を示す側面図である。
【符号の説明】
【００２５】
１  靴下本体
１ａ，１ｂ  カット面
２  磁石
３  シート
４，５  ファスナー
６  袋部
６ａ  縁部
６ｂ  袋口
７  下肢部
７ａ  足先部
７ｂ  踵部
【図１】
0003109533.tif 000003
【図２】
0003109533.tif 000004
【図３】
0003109533.tif 000005
【図４】
0003109533.tif 000006
【図５】
0003109533.tif 000007